(57)【要約】      （修正有）【課題】ゴーストを低減しながら、視差を低減し、タッチパネルの位置情報の検出精度も高く維持できるインタラクティブボード用の透過型スクリーン、これを備えるインタラクティブボード及びインタラクティブボードシステムを提供する。【解決手段】インタラクティブボード用のスクリーン１０は、入射側に設けられ、単位プリズム１１１が複数配列されたプリズム部１１２を有するプリズム層１１と、プリズム層１１より出射側に設けられる基板層１２と、プリズム層１１より出射側に設けられて光透過部１３２と光吸収部１３３とを備える光制御層１３と、光制御層１３より出射側に設けられる光拡散層１４とを備え、光吸収部１３３及び光透過部１３２は、画面上下方向に平行であってスクリーン面に対して直交する断面において、スクリーン面に平行な面に沿って交互に配置されており、光吸収部１３３の断面形状が、略楔形形状又は略矩形形状であるものとした。【選択図】図２
2012078516.tif 000002
【特許請求の範囲】
【請求項１】
背面側から映像光を投射するインタラクティブボード用の透過型スクリーンであって、
映像光の入射側に設けられ、光が入射する入射面と前記入射面から入射した光の少なくとも一部を全反射する全反射面とを備える単位プリズムが入射側の面に複数配列されたプリズム部を有するプリズム層と、
前記プリズム層より出射側に設けられ、該インタラクティブボード用の透過型スクリーンの平面性を維持する剛性を有する基板層と、
前記プリズム層より出射側に設けられ、光を透過する光透過部と光を吸収する光吸収部とを備える光制御層と、
前記光制御層より出射側に設けられ、光を拡散する作用を有する光拡散層と、
を備え、
前記光透過部及び前記光吸収部は、使用状態における画面上下方向に平行であってスクリーン面に対して直交する断面において、スクリーン面に平行な面に沿って交互に配置されており、
前記光吸収部は、前記断面における断面形状が、略楔形形状又は略矩形形状であること、
を特徴とするインタラクティブボード用の透過型スクリーン。
【請求項２】
請求項１に記載のインタラクティブボード用の透過型スクリーンにおいて、
前記光吸収部は、前記断面における断面形状が、略楔形形状であり、出射側の幅が広く、入射側に向かって幅が次第に狭くなっていること、
を特徴とするインタラクティブボード用の透過型スクリーン。
【請求項３】
請求項１に記載のインタラクティブボード用の透過型スクリーンにおいて、
前記光吸収部は、前記断面における断面形状が、略楔形形状であり、入射側の幅が広く、出射側に向かって幅が次第に狭くなっていること、
を特徴とするインタラクティブボード用の透過型スクリーン。
【請求項４】
請求項１に記載のインタラクティブボード用の透過型スクリーンにおいて、
前記光吸収部は、前記断面における断面形状が、略矩形形状であること、
を特徴とするインタラクティブボード用の透過型スクリーン。
【請求項５】
請求項１から請求項４までのいずれか１項に記載のインタラクティブボード用の透過型スクリーンにおいて、
前記光制御層は、前記基板層より出射側に設けられること、
を特徴とするインタラクティブボード用の透過型スクリーン。
【請求項６】
請求項１から請求項５までのいずれか１項に記載のインタラクティブボード用の透過型スクリーンにおいて、
出射側に、少なくともハードコート機能を有する機能層が設けられていること、
を特徴とするインタラクティブボード用の透過型スクリーン。
【請求項７】
請求項１から請求項６までのいずれか１項に記載のインタラクティブボード用の透過型スクリーンにおいて、
前記単位プリズムの配列方向における少なくとも一部の領域において、前記単位プリズムの前記入射面と前記全反射面とがなす頂部は、入射側に凸となる曲面によって形成されていること、
を特徴とするインタラクティブボード用の透過型スクリーン。
【請求項８】
請求項１から請求項７までのいずれか１項に記載のインタラクティブボード用の透過型スクリーンと、
前記インタラクティブボード用の透過型スクリーンを支持する支持部材と、
を備えるインタラクティブボード。
【請求項９】
請求項８に記載のインタラクティブボードと、
前記インタラクティブボードの前記インタラクティブボード用の透過型スクリーンの背面側から映像光を投射する光源部と、
前記インタラクティブボード用の透過型スクリーンの観察面への接触による入力を検出して検出信号を出力する検出部と、
前記検出部からの検出信号に応じて、表示する映像に応じた映像光を前記光源部から投影させる制御部と、
を備えるインタラクティブボードシステム。
【発明の詳細な説明】
【技術分野】
【０００１】
本発明は、インタラクティブボード用の透過型スクリーン、これを備えるインタラクティブボード、インタラクティブボードシステムに関するものである。
【背景技術】
【０００２】
近年、会議や授業等の場面において、ボード上に描いた文字や図形を、そのままパーソナルコンピュータに入力したり、パーソナルコンピュータの画像情報をボード上に投影し、手書きされたボード上の文字や画像をパーソナルコンピュータ上に表示したりできるインタラクティブボードと呼ばれる電子黒板の利用が広まってきている（例えば、特許文献１参照）。
この特許文献１に示すインタラクティブボードでは、パーソナルコンピュータからの画像を、ボードの前面側、即ち、観察者側から投射している。そのため、ボードに手書きで文字等の情報を書き加える際に、投影画像が遮られるという問題や、ボードの前面に投影機を設置するための場所が必要となるという問題がある。
そこで、特許文献２に示すような、背面から投射された映像を表示可能な透過型スクリーンをボードとして用い、パーソナルコンピュータ等の表示部の画像を、光源装置を用いてボード（透過型スクリーン）の背面側から投射して表示するインタラクティブボード等も開発が進められている。特許文献２の透過型スクリーンでは、光が入射する入射面と、入射面から入射した光を全反射する全反射面とを備えるプリズムを配列したプリズム層を備えており、このようなプリズム層を用いることにより、透過型スクリーンを用いた表示装置の薄型化等を図っている。また、特許文献３に示すように、透過型スクリーンを用いた対話型のリアプロジェクションテレビの開発も進められている。
【先行技術文献】
【特許文献】
【０００３】
【特許文献１】実用新案登録第３０９３２８８号公報
【特許文献２】特開２００８−２０４８１号公報
【特許文献３】特開２００８−４６１７７号公報
【発明の概要】
【発明が解決しようとする課題】
【０００４】
特許文献２に示すようなプリズム層を備える透過型スクリーンを用いたインタラクティブボードでは、プリズムの入射面の谷部側に光が入射する光は、全反射面で全反射されず、プリズムによる光線制御作用を受けずに出射する場合がある。このような光は、迷光となり、２重像の原因となる。
このような迷光に起因とする２重像（以下、ゴーストという）を低減するために、光拡散層を透過型スクリーン内の比較的入射側に配置する等の対策が成されている。しかし、このような層構成とする場合、映像光が主に光拡散層で結像するので、観察面（スクリーンの出射側表面）と結像面との距離は、離れてしまう。
そのため、このような層構成の透過型スクリーンの観察面に映像を表示し、例えば、スクリーンの正面方向から見る場合と斜め方向からみる場合等のようにスクリーンを観察する方向によって、観察面上において映像が観察される位置が異なるという問題があった（以下、このような現象を、視差が生じているという）。また、このような層構成の透過型スクリーンとし、観察面にタッチした指やタッチペン部等によって反射された赤外光を検出することによりその位置を検出するＩＲ（ｉｎｆｒａｒｅｄ）カメラ方式の位置情報検出装置を用いる場合、観察面と光拡散層との距離が離れることにより、ＩＲカメラによる位置情報の検出の精度が低下するという問題があった。
特許文献１〜３には、そのような視差の解消やタッチパネルの情報検出の方式による検出精度の低下に関する対策は一切成されていない。
【０００５】
本発明の課題は、ゴーストを低減しながら、視差を低減し、タッチパネルの位置情報の検出精度を高く維持できるインタラクティブボード用の透過型スクリーン、これを備えるインタラクティブボード及びインタラクティブボードシステムを提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
請求項１の発明は、背面側から映像光を投射するインタラクティブボード用の透過型スクリーンであって、映像光の入射側に設けられ、光が入射する入射面（Ａ１）と前記入射面から入射した光の少なくとも一部を全反射する全反射面（Ａ２）とを備える単位プリズム（１１１，２１１）が入射側の面に複数配列されたプリズム部を有するプリズム層（１１）と、前記プリズム層より出射側に設けられ、該インタラクティブボード用の透過型スクリーンの平面性を維持する剛性を有する基板層（１２）と、前記プリズム層より出射側に設けられ、光を透過する光透過部（１３２，３３２）と光を吸収する光吸収層（１３３，３３３）とを備える光制御層（１３，２３）と、前記光制御層より出射側に設けられ、光を拡散する作用を有する光拡散層（１４）と、を備え、前記光透過部及び前記光吸収部は、使用状態における画面上下方向に平行であってスクリーン面に対して直交する断面において、スクリーン面に平行な面に沿って交互に配置されており、前記光吸収部は、前記断面における断面形状が、略楔形形状又は略矩形形状であること、を特徴とするインタラクティブボード用の透過型スクリーン（１０，２０，３０）である。
請求項２の発明は、請求項１に記載のインタラクティブボード用の透過型スクリーンにおいて、前記光吸収部（１３３）は、前記断面における断面形状が、略楔形形状であり、出射側の幅が広く、入射側に向かって幅が次第に狭くなっていること、を特徴とするインタラクティブボード用の透過型スクリーン（１０，２０）である。
請求項３の発明は、請求項１に記載のインタラクティブボード用の透過型スクリーンにおいて、前記光吸収部（３３３）は、前記断面における断面形状が、略楔形形状であり、入射側の幅が広く、出射側に向かって幅が次第に狭くなっていること、を特徴とするインタラクティブボード用の透過型スクリーン（３０）である。
請求項４の発明は、請求項１に記載のインタラクティブボード用の透過型スクリーンにおいて、前記光吸収部は、前記断面における断面形状が、略矩形形状であること、を特徴とするインタラクティブボード用の透過型スクリーンである。
【０００７】
請求項５の発明は、請求項１から請求項４までのいずれか１項に記載のインタラクティブボード用の透過型スクリーンにおいて、前記光制御層（１３．２３）は、前記基板層（１２）より出射側に設けられること、を特徴とするインタラクティブボード用の透過型スクリーン（１０，２０，３０）である。
請求項６の発明は、請求項１から請求項５までのいずれか１項に記載のインタラクティブボード用の透過型スクリーンにおいて、出射側に少なくともハードコート機能を有する機能層（１５、１４，１５２）を備えること、を特徴とするインタラクティブボード用の透過型スクリーン（１０，２０，３０）である。
請求項７の発明は、請求項１から請求項６までのいずれか１項に記載のインタラクティブボード用の透過型スクリーンにおいて、前記単位プリズム（２１１）の配列方向における少なくとも一部の領域において、前記単位プリズム（２１１）の前記入射面（Ａ１）と前記全反射面（Ａ２）とがなす頂部は、入射側に凸となる曲面によって形成されていること、を特徴とするインタラクティブボード用の透過型スクリーン（２０）である。
【０００８】
請求項８の発明は、請求項１から請求項７までのいずれか１項に記載のインタラクティブボード用の透過型スクリーン（１０，２０，３０）と、このインタラクティブボード用の透過型スクリーンを支持する支持部材と、を備えるインタラクティブボード（５０）である。
請求項９の発明は、請求項８に記載のインタラクティブボード（５０）と、前記インタラクティブボードの前記インタラクティブボード用の透過型スクリーンの背面側から映像光を投射する光源部（６０）と、前記インタラクティブボード用の透過型スクリーンの観察面への接触による入力を検出して検出信号を出力する検出部と、前記検出部からの検出信号に応じて、表示する映像に応じた映像光を前記光源部から投影させる制御部（７０）と、を備えるインタラクティブボードシステムである。
【発明の効果】
【０００９】
本発明によれば、以下の効果を奏することができる。
（１）インタラクティブボード用の透過型スクリーンは、映像光の入射側に設けられ、入射面と全反射面とを備える単位プリズムが入射側の面に複数配列されたプリズム部を有するプリズム層と、プリズム層より出射側に設けられ、この透過型スクリーンの平面性を維持する剛性を有する基板層と、プリズム層より出射側に設けられ、光を透過する光透過部と光を吸収する光吸収層とを備える光制御層と、光制御層より出射側に設けられ、光を拡散する作用を有する光拡散層とを備え、光透過部及び光吸収部は、使用状態における画面上下方向に平行であってスクリーン面に対して直交する断面において、スクリーン面に平行な面に沿って交互に配置されており、光吸収部は、その断面における断面形状が、略楔形形状又は略矩形形状である。
従って、単位プリズムの入射面の谷側に入射して全反射面で反射せずに出射側へ向かい、迷光となる光を光制御層の光吸収部によって吸収し、ゴーストを低減する事ができる。また、光吸収部によって出射側（観察面側）から入射する照明光等の外光を吸収してコントラストを向上することができる。
さらに、光拡散層をスクリーンの厚み方向において出射側に配置することができるので、インタラクティブボードとして使用した場合に生じる視差を低減でき、インタラクティブボードとしての品質を向上できる。さらにまた、光拡散層をスクリーンの厚み方向において出射側に配置することができるので、インタラクティブボードとして使用し、入力部の位置情報を検出する手段としてＩＲカメラ方式のタッチパネル等を用いた場合にも、位置情報の検出の精度が低下しない。従って、精度の高い位置情報の検出を行うことができる。
【００１０】
（２）光吸収部は、使用状態における画面上下方向に平行であってスクリーン面に対して直交する断面における断面形状が、略楔形形状であり、出射側の幅が広く、入射側に向かって幅が次第に狭くなっている。従って、このとき、光透過部は、入射側の幅が広く出射側の幅が狭い略台形形状となり、映像光の透過率を高く維持しながら、光吸収部によって迷光を吸収してゴーストを低減できる。また、この形態の場合、光吸収部の断面形状は、出射側の幅が広く、照明光等の外光を効果的に吸収でき、コントラストを向上することができる。
【００１１】
（３）光吸収部は、使用状態における画面上下方向に平行であってスクリーン面に対して直交する断面における断面形状が、略楔形形状であり、入射側の幅が広く、出射側に向かって幅が次第に狭くなっているので、効果的に迷光を吸収してゴーストを低減できる。また、光吸収部による外光吸収作用により、コントラスト向上も期待できる。また、光吸収部の屈折率を光透過部の屈折率より小さくした場合には、入射光が、単位プリズムの想定する入射角度の範囲からずれた入射角度で入射した場合にも、光透過部と光吸収部との界面で全反射させ、画面上下方向において略正面方向へ出射させることができる。
【００１２】
（４）光吸収部は、使用状態における画面上下方向に平行であってスクリーン面に対して直交する断面における断面形状が、略矩形形状であるので、このとき、光透過部の断面形状も略矩形形状となり、正面方向へ出射する光の量を高くでき、映像光の輝度を大幅に低下させることなく、光の利用効率を維持し、効果的に迷光を吸収してゴーストを低減できる。また、光吸収部による外光吸収作用により、コントラスト向上も期待できる。
【００１３】
（５）光制御層は、基板層より出射側に設けられる。従って、光制御層は、比較的出射側に配置されることとなり、光吸収部により、外光を効果的に吸収でき、コントラスト向上効果を高めることができる。
【００１４】
（６）インタラクティブボード用の透過型スクリーンは、出射側に少なくともハードコート機能を有する機能層が設けられているので、この透過型スクリーンの観察面に傷がつくことを極力抑えることができ、スクリーンの利便性や品位を向上させることができる。
【００１５】
（７）単位プリズムの配列方向における少なくとも一部の領域において、単位プリズムの入射面と全反射面とがなす頂部は、入射側に凸となる曲面によって形成されている。従って、単位プリズムの頂部の破損や欠け、潰れや歪み等の変形が生じにくく、製造時や搬送時等においてプリズム層及びインタラクティブボード用の透過型スクリーンのハンドリングが容易になり、また、歩留りも向上し、生産性が向上する。さらに、使用時において、単位プリズムの頂部が破損することも防止できる。
【００１６】
（８）本発明のインタラクティブボード用の透過型スクリーンと、このインタラクティブボード用の透過型スクリーンを支持する支持部材とを備えるインタラクティブボードであるので、ゴーストが低減され、コントラストの高い映像を表示でき、視差も低減できる。
【００１７】
（９）本発明のインタラクティブボードと、インタラクティブボードのインタラクティブボード用の透過型スクリーンの背面側から映像光を投射する光源部と、インタラクティブボード用の透過型スクリーンの観察面への接触による入力を検出して検出信号を出力する検出部と、検出部からの検出信号に応じて、表示する映像に応じた映像光を光源部から投影させる制御部とを備えるインタラクティブボードシステムであるので、ゴーストが低減され、コントラストの高い映像を表示でき、視差を低減することができる。また、検出部の位置情報の検出の精度を高めることができる。従って、品質の高いインタラクティブボードシステムとすることができる。
【図面の簡単な説明】
【００１８】
【図１】第１実施形態のインタラクティブボード用の透過型スクリーン１０を備えるインタラクティブボード５０及びインタラクティブボードシステムを示す図である。
【図２】第１実施形態のスクリーン１０の層構成を説明する図である。
【図３】単位プリズム１１１の形状及び光制御層１３の形状を説明する図である。
【図４】視差や情報検出部の位置情報の検出の様子を説明する図である。
【図５】第１実施形態のスクリーン１０と比較例のスクリーン１０Ｂとの層構成を比較する図である。
【図６】第２実施形態のスクリーン２０の単位プリズム２１１の形状を示す図である。
【図７】第３実施形態のスクリーン３０の層構成を示す図である。
【図８】スクリーンの変形形態を示す図である。
【発明を実施するための形態】
【００１９】
以下、図面等を参照して、本発明の実施形態について説明する。
なお、図１を含め、以下に示す各図は、模式的に示した図であり、各部の大きさ、形状は、理解を容易にするために、適宜誇張している。
また、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、特許請求の範囲の記載は、シートという記載で統一して使用した。従って、シート、板、フィルムの文言は、適宜置き換えることができるものとする。例えば、光学シートは、光学フィルムとしてもよいし、光学板としてもよい。
さらに、本明細書中に記載する各部材の寸法等の数値及び材料名等は、実施形態としての一例であり、これに限定されるものではなく、適宜選択して使用してよい。
【００２０】
（第１実施形態）
図１は、第１実施形態のインタラクティブボード用の透過型スクリーン１０を備えるインタラクティブボード５０及びインタラクティブボードシステムを示す図である。
インタラクティブボードシステムは、インタラクティブボード５０と、投影機６０と、パーソナルコンピュータ６１と、インタラクティブボード５０の観察面上に文字や図形等を描画可能な入力部６２と、不図示の情報検出部とを備えている。
インタラクティブボード５０は、支持部材５１とインタラクティブボード用の透過型スクリーン（以下、理解を容易にするため、単にスクリーン又はボードという）１０とを備えている。このインタラクティブボード５０は、背面側から映像光Ｌを投射して観察面に映像を表示する形態である。
支持部材５１は、スクリーン１０の四辺を保持してその平面性を維持し、かつ、所定の高さにスクリーン１０を支持する部材である。本実施形態の支持部材５１は、スクリーン１０の四辺の周縁部を保持する枠部材５２と、枠部材５２の両端から鉛直方向に延び、スクリーンを所定の高さに支持する脚部５３とを備えている。なお、支持部材５１は、スクリーン１０の高さを変えられるものとしてもよいし、変えられないものとしてもよい。また、支持部材５１の脚部５３の床面との接地部分に車輪等を設けて、移動可能な形態としてもよい。
【００２１】
スクリーン１０は、映像を表示したり、タッチペンやマーカー等の入力部６２を用いて使用者Ｓが観察面上に文字等の情報を描画したりすることが可能なボードである。このスクリーン１０は、透過型スクリーンであり、インタラクティブボード５０の背面側に位置する投影機６０からスクリーン１０の背面に映像光を投射して映像を表示し、使用者Ｓらは、観察面側からその映像を観察することができる。このスクリーン１０の形状に関する詳細は、後述する。
投影機６０は、スクリーン１０（インタラクティブボード５０）の背面側から映像光Ｌを投射する光源部である。本実施形態の投影機６０は、プロジェクタであり、図１に示すように、スクリーン１０の中央部より下側から斜め上へ向けて映像光を投影する形態のものである。
【００２２】
入力部６２は、スクリーン１０の観察面にタッチするためのタッチペンやマーカー等の部材である。入力部６２は、使用者Ｓの指等でもよい。
不図示の情報検出部は、入力部６２によって描画された文字や図形等の情報を検出し、パーソナルコンピュータ６１へ伝送する機能を有している。本実施形態の情報検出部は、ＩＲカメラ方式の位置センサを用いている。この情報検出部（ＩＲ方式の位置センサ）は、スクリーンの背面側から赤外線を照射する照射部と、観察面に接触した入力部６２（指やタッチペン等）により反射された赤外線による像を撮像する赤外線カメラとを有している。そして、観察面に接触した入力部６２により反射された赤外線の像を赤外線カメラにより撮像して観察面上に入力部６２が接触した点の座標位置を検出することにより、使用者Ｓが観察面上に描画した図形や文字等の情報を検出し、パーソナルコンピュータ等の制御部に検出した信号を出力する。なお、情報検出部は、ＩＲカメラ方式のものに限らず、各種方式のタッチパネルや位置センサ等を用いることができる。
また、情報検出部は、パーソナルコンピュータ等の制御部と有線又は無線によって通信可能であり、本実施形態の情報検出部は、パーソナルコンピュータ６１とＵＳＢケーブル等により接続され、通信可能となっている。
【００２３】
パーソナルコンピュータ６１は、スクリーン１０に表示する情報を投影機６０へ出力したり、情報検出部からの情報を取り込んでデータ化したり、取り込んだ情報を含む映像を出力したりする制御部と、スクリーン１０に表示する画像情報や、各種のアプリケーションのプログラム等を記憶する記憶装置である不図示の記憶部とを備えている。制御部は、例えば、ＣＰＵ（中央処理装置）等から構成され、インタラクティブボードシステムを統括的に制御する部分である。この制御部は、情報検出部の検出信号に基づいて、入力部６２が接触した観察面の座標位置を判定したり、入力部６２で描画された文字や図形等を判別したりする。
本実施形態のパーソナルコンピュータ６１は、ＵＳＢケーブル等を用いて有線で情報検出部及び投影機６０と接続され、通信可能となっているが、これに限らず、少なくとも一方と無線で通信可能な形態としてもよい。
なお、本実施形態ではパーソナルコンピュータ６１を用いる例を示したが、少なくともインタラクティブボードシステムを統括的に制御可能な機能を有するものであれば、例えば、携帯電話等の携帯情報端末を用いてもよく、使用環境等に応じて適宜選択して用いてよい。
【００２４】
本実施形態のインタラクティブボードシステムは、以上の構成により、パーソナルコンピュータ６１が映像情報を投影機６０に出力し、投影機６０がインタラクティブボード５０の背面へ映像光を投射し、インタラクティブボード５０のスクリーン１０に映像を表示する。また、情報検出部は、入力部６２を用いて使用者Ｓによって接触された観察面の座標位置を検出して出力し、パーソナルコンピュータ６１が、座標位置を判定できる。この位置情報は、例えば、パーソナルコンピュータ６１の画面の位置情報と、観察面の位置情報（座標情報）とが一致するように、使用者Ｓがインタラクティブボード５０又はパーソナルコンピュータ６１の調節部（図示せず）を操作して、予め調整している。
【００２５】
これにより、使用者Ｓが入力部６２を用いてスクリーン１０の観察面上に描画した図形や文字等を、投影画像と組み合わせ、図形や文字等が投影画像上に描かれたように表示することができる。また、例えば、パーソナルコンピュータ６１の表示画面をインタラクティブボード５０に表示し、使用者Ｓは、マウスで操作するように入力部６２を操作してパーソナルコンピュータ６１を操作することもできる。
さらに、スクリーン１０は、一般的なホワイトボード等のように、マーカー等の所定の筆記具を用いてその表面（観察面）に手書きで文字や図形等の情報を描画したり、描画した文字等を消去したりすることも可能である。
【００２６】
図２は、第１実施形態のスクリーン１０の層構成を説明する図である。図２では、スクリーン１０を、使用状態における画面上下方向に平行であって、スクリーン１０の厚み方向（スクリーン面に直交する方向）に平行な方向で切断した場合の断面の一部を拡大して示している。
ここで、スクリーン面とは、スクリーン１０全体として見たときにおける、スクリーンの平面方向となる面を示すものであり、本明細書中及び特許請求の範囲において、同一の定義として用いている。また、以下の明細書中において、スクリーン１０（インタラクティブボード５０）の使用状態におけるスクリーン１０の画面上下方向（鉛直方向）、画面左右方向（水平方向）は、特に断りが有る場合を除いて単に画面上下方向、画面左右方向という。
本実施形態のスクリーン１０は、図２に示すように、使用状態における光の入射側（背面側）から順に、プリズム層１１、基板層１２、光制御層１３、光拡散層１４、表面機能層１５を有している。また、スクリーン１０は、プリズム層１１と基板層１２、基板層１２と光制御層１３、光制御層１３と光拡散層１４、光拡散層１４と表面機能層１５とは、それぞれ接合層１６ａ〜１６ｄを介して一体に接合されている。このスクリーン１０は、背面側に位置する投影機６０から投影された映像光Ｌを結像し、映像を表示する。
【００２７】
プリズム層１１は、スクリーン１０の最も入射側（背面側）に設けられており、プリズム部１１２とプリズム基材層１１３とを備えている。このプリズム層１１は、投影機６０から投影された映像光Ｌを集光して、垂直方向（画面上下方向）においてスクリーン１０の正面方向へ略平行光として観察面側（出射側）へ出射する光線制御作用を有している。
プリズム部１１２は、プリズム層１１の入射側に設けられ、その入射側表面に単位プリズム１１１が複数配列されている。プリズム部１１２は、ウレタンアクリレートやエポキシアクリレート等の紫外線硬化型樹脂により形成される。本実施形態のプリズム部１１２は、屈折率は、１．５５のウレタンアクリレート系樹脂製である。
プリズム基材層１１３は、プリズム部１１２のベースとなる層であり、その入射側の面にプリズム部１１２がＵＶ成形により一体に形成されている。
【００２８】
図３は、単位プリズム１１１の形状及び光制御層１３の形状を説明する図である。図３（ａ）は、単位プリズム１１１の形状を示し、図３（ｂ）は光制御層１３の形状を示している。
単位プリズム１１１は、図２に示すように、プリズム層１１の入射側（背面側）の面に、シート面に沿って一方向（画面上下方向）に複数配列されている。
単位プリズム１１１は、図３（ａ）に示すように、入射側へ凸となる形状であり、光が入射する入射面Ａ１と、入射面Ａ１から入射した光の少なくとも一部を全反射する全反射面Ａ２とを備えている。本実施形態の単位プリズム１１１は、入射面Ａ１と全反射面Ａ２とによって形成される頂角α＝３８°であり、その配列ピッチＰ１＝５０μｍである。
スクリーン１０の下方に位置する投影機６０から斜めに照射された映像光のうち入射面Ａ１から単位プリズム１１１へ入射した光の少なくとも一部の光束Ｒ１は、図３（ａ）に示す光Ｌ１のように、入射面Ａ１で屈折して全反射面Ａ２側へ進み、全反射面Ａ２で全反射し、垂直方向においてスクリーン面の法線方向に略平行光となって観察者側へ進む。
【００２９】
図２に戻って、基板層１２は、このスクリーン１０の平面性を維持する基板となる層である。基板層１２は、接合層１６ａを介してプリズム層１１の出射側に一体に積層されている。この基板層１２は、スクリーン１０を構成する他の層に比べて厚さが最も厚く、これにより、スクリーン１０の平面性を維持するために充分な剛性を有している。従って、スクリーン１０は、基板層１２を備えることにより、剛直となり、その観察面に筆記された場合にも透過型スクリーンが撓んだり、変形したり、破損したりすることを防止できる。本実施形態の基板層１２は、光透過性を有する略平板状のガラス板を用いており、その屈折率が１．５２であり、厚さが６ｍｍである。
なお、基板層１２としては、ＰＣ樹脂やＭＢＳ樹脂、ＭＳ樹脂等の樹脂製のシート状の部材を用いてもよい。また基板層１２の厚さは、その材質や使用環境等に応じて適宜設定してよいが、平面性維持等の観点から、樹脂製のシート状の部材の場合で８〜１０ｍｍの範囲内が特に好ましく、ガラス板の場合で４〜８ｍｍの範囲内が特に好ましい。
【００３０】
光制御層１３は、図２及び図３（ｂ）に示すように、光制御基材層１３１と、光透過部１３２と、光吸収部１３３とを備えている。光制御層１３は、接合層１６ｂを介して基板層１２の出射側に一体に積層されている。
光制御基材層１３１は、この光制御層のベース（基材）となる層であり、樹脂製のシート状の部材を用いることができる。本実施形態の光制御基材層１３１は、ＰＥＴ（ポリエチレンテレフタレート）樹脂製であり、その厚さは１５０μｍである。
光透過部１３２は、光透過性を有し、光制御基材層１３１の出射側の面に、複数配列されて一体に形成されている。本実施形態の光透過部１３２は、図２及び図３（ｂ）に示すように、画面上下方向に平行であってスクリーン面に対して直交する断面における断面形状が、背面側（入射側）における幅が観察面側（出射側）における幅よりも広い略台形形状である。そして、光透過部１３２は、画面左右方向に同一断面形状（略台形形状）で延在し、スクリーン面に平行な面に沿って画面上下方向に複数配列されている。
【００３１】
本実施形態の光透過部１３２は、紫外線硬化型樹脂より形成されている。紫外線硬化型樹脂としては、例えば、ウレタンアクリレート、エポキシアクリレート、トリプロピレングリコールジアクリレート、メトキシトリエチレングリコールアクリレート等を適宜選択して用いることができる。なお、この例に限らず、光透過部１３２は、電子線硬化型樹脂等の他の電離放射線硬化型樹脂等により形成されてもよい。また、光透過部１３２は、ＰＥＴ樹脂等の熱可塑性樹脂等を用いて熱溶融押出成形により形成されてもよく、この場合には、光制御基材層１３１を設けない形態としてもよい。
【００３２】
光吸収部１３３は、光を吸収する作用を有する部分であり、画面上下方向に平行であってスクリーン面に直交する断面における断面形状が略楔形形状である。この光吸収部１３３は、複数配列された光透過部１３２の間隙の谷部分に形成される。なお、ここでいう略楔形形状とは、一方の端部の幅が広く、他方に向けて次第に幅が狭くなる形状をいい、略三角形形状や略台形形状を含む。
図２及び図３（ｂ）に示すように、光透過部１３２と光吸収部１３３とは、使用状態においてスクリーン面に平行な面に沿って画面上下方向に交互に配列されている。本実施形態の光吸収部１３３は、画面上下方向に平行であってスクリーン面に直交する断面において、その断面形状が略台形形状であり、画面左右方向に同一断面形状（略台形形状）で延在している。なお、光吸収部１３３は、画面上下方向に平行であってスクリーン面に直交する断面における断面形状が、略三角形形状としてもよく、例えば略二等辺三角形状としてもよい。
また、本実施形態の光吸収部１３３は、光透過部１３２と略同等の屈折率を有しているが、これに限らず、例えば、光透過部１３２と同等の屈折率を有していてもよいし、僅かに屈折率差を有するものとしてもよい。
【００３３】
さらに、本実施形態の光吸収部１３３は、光を吸収する微小ビーズとして、平均粒径が約６μｍである黒色顔料を含有する光吸収粒子を含有する紫外線硬化型樹脂（例えば、ウレタンアクリレート、エポキシアクリレート、トリプロピレングリコールジアクリレート、メトキシトリエチレングリコールアクリレート等）をワイピング（スキージング）し、硬化させることにより形成されている。この紫外線硬化型樹脂は、光透過部１３２の屈折率と略等しいものを用いている。なお、本実施形態では、黒色顔料を含有する光吸収粒子の平均粒径を約６μｍとしたが、平均粒径は、１〜１０μｍ程度とすることが好ましい。それよりも小さいとワイピングによるかきとりが難しくなり、１０μｍを超えると光透過部１３２の間の隙間への充填が困難になるからである。
【００３４】
本実施形態では、光透過部１３２は、略台形形状であり、その斜面１３２ａがスクリーン面の法線となす角度βが、４．５°であり、光吸収部１３３の配列ピッチＰ２が６０μｍ、光吸収部１３３の深さＨ２が１５０μｍ、光吸収部１３３の背面側の面の幅Ｗ１が５μｍ、光吸収部の観察面側の面の幅Ｗ２が３２μｍであり、光透過部１３２の厚みＨ１は１７５μｍである。また、光透過部１３２を形成する紫外線硬化型樹脂の屈折率は１．５６であり、光吸収部１３３を形成する紫外線硬化型樹脂の屈折率は１．５５である。なお、光透過部１３２と光吸収部１３３とに用いられるそれぞれの樹脂の屈折率は、適宜選択してよい。例えば、光透過部１３２及び光吸収部１３３に用いる樹脂の屈折率を同じ（例えば、屈折率がともに１．５５）としてもよいし、僅かに又は多少の屈折率差を有していてもよい（例えば、光透過部１３２の屈折率を１．５６、光吸収部１３３の屈折率を１．４９としたり、光透過部１３２の屈折率を１．５５、光吸収部１３３の屈折率を１．５４５としたりする等）。
なお、本実施形態の光透過部１３２及び光吸収部１３３は、図２及び図３（ｂ）に示すように、スクリーン面に直交して画面上下方向に平行な断面において、画面上下方向において対称な形状をしているが、画面上下方向において非対称な形状としてもよい。
【００３５】
光拡散層１４は、光を拡散する作用を有する層であり、図２に示すように、光制御層１３の出射側（観察面側）に配置されている。光拡散層１４は、光透過性を有する樹脂に、拡散材が略均一に分散するように配合されたシート状の部材を用いることができる。
本実施形態の光拡散層１４は、接合層１６ｃを介して光制御層１３の出射側に積層されている。光拡散層１４は、その厚さが２００μｍであり、屈折率が１．５５であるＭＢＳ（メチルメタクリレート・ブタジエン・スチレン）樹脂を基材とし、拡散材として略均一に混錬されたシリコン系ビーズ（屈折率１．４１、粒径約２μｍ）とアクリル系ビーズ（屈折率１．５３、粒径約８μｍ）とを含有している。本実施形態の光拡散層１４は、その基材に拡散材が配合される割合が７．６重量％前後である。
【００３６】
一般に、シリコン系ビーズは、光拡散層１４を形成するＭＢＳ樹脂との屈折率差が大きいので、シリコン系ビーズは、少量であっても光に対して高い拡散性を発揮することができる。しかし、シリコン系ビーズのみを光拡散層１４に拡散材として用いた場合には、シリコン系ビーズが少量であり、かつ、その粒径が小さいため、拡散材に当らず、拡散作用を受けずに出射する映像光が生じ、そのような光が観察者には輝線のように観察され、画質が低下する場合がある。
そこで、拡散材を含有する基材となる樹脂との屈折率差が小さく、その粒径もシリコン系ビーズに比べて大きいアクリル系ビーズを、シリコン系ビーズと組み合わせて用いることにより、上述のような輝線の原因となる光を拡散することができる。
【００３７】
なお、光拡散層１４は、その厚みを適宜選択でき、また、拡散材を含有する基材となる樹脂についてもＭＳ（メチルメタクリレート・スチレン）樹脂や、他のアクリル系樹脂や、ＴＡＣ（トリアセテートセルロース）やＰＥＴ、ＰＣ（ポリカーボネート）樹脂等、適宜選択できる。また、拡散材は、ガラスビーズや、プラスチックビーズ等の無機又は有機の化合物の略透明な粒子を適宜選択できる。拡散材の粒径は、光の拡散が波長に依存しないように、１μｍ以上であることが好ましい。
【００３８】
表面機能層１５は、スクリーン１０の最も出射側（観察面側）に設けられ、このスクリーン１０の観察面を傷等から保護する耐擦傷性と、防眩機能とを備える機能層であり、筆記しやすい平滑性も有している。
スクリーン１０の観察面（前面）は、使用者Ｓがタッチペン等の入力部６２によって文字等を筆記する面であるため、耐擦傷性が求められ、また、筆記等が滑らかに行えるように、ある程度の平滑性も求められる。その一方で、スクリーン１０の観察面は、室内の照明光等の反射や映り込み等を低減し、画面の見易さを向上させる観点から、防眩機能を有していることが好ましい。
本実施形態の表面機能層１５は、厚さ１００μｍのＰＥＴ樹脂製のシート状の部材を機能基材層１５１とし、その出射側（観察面側）の表面に、スチレン粒子（平均粒径７．５〜８．０μｍ、屈折率１．５９）を含有する電離放射線硬化型樹脂を膜厚７μｍ程度で塗布して防眩層１５２が形成されている。本実施形態の表面機能層１５は、その表面粗さである算術平均粗さＲａ（ＪＩＳ  Ｂ０６０１−２００１）が１３６ｎｍ、最大高さＲｚ（ＪＩＳ  Ｂ０６０１−２００１）が４５３ｎｍであり、防眩機能を発揮するに十分な表面粗さを有しつつ、その筆記性を妨げることはない。
【００３９】
接合層１６ａ〜１６ｄは、プリズム層１１と基板層１２、基板層１２と光制御層１３、光制御層１３と光拡散層１４、光拡散層１４と表面機能層１５とをそれぞれ接合する層である。この接合層１６ａ〜１６ｄは、紫外線硬化型のアクリル系樹脂や、圧力により粘着性が顕在化する感圧粘着型のアクリル系樹脂等を用いることができる。また、接合層１６ａ〜１６ｄは、その厚みを１０〜１００μｍの範囲内で適宜選択できる。
【００４０】
（ゴーストや視差について）
ここで、プリズム層１１は、図３（ａ）に示すように、入射面Ａ１に入射する光束のうち、光Ｌ１を含む光束Ｒ１は、全反射面Ａ２に到達し、全反射面Ａ２によって全反射して略平行光となって出射側へ進む。しかし、光束Ｒ１より垂直方向下側に位置する残りの光束Ｒ２は、全反射面Ａ２に到達することができず、光Ｌ２に示すように正面方向（スクリーン面の法線方向）から大きくそれた方向へ向かい、迷光となってしまう。
このような迷光は、ゴーストと呼ばれる現象を引き起こし、映像が見えにくくなり、画質の低下を引き起こし、観察者に不快感を与える原因となる場合がある。
そこで、従来は、スクリーン１０の厚み方向において入射側（プリズム層１１側）に光拡散層１４を配置し、ゴーストの発生を低減する等の対策が採られていた。
【００４１】
しかし、このように光拡散層１４をスクリーン１０の厚み方向において入射側に配置すると、入力部６２等によって筆記や指示される観察面（スクリーン１０の出射側表面）と、映像光が結像する光拡散層１４との距離が離れてしまう。
図４は、視差や情報検出部の情報検出の様子を説明する図である。図４（ａ），（ｂ）は、視差を説明する図である。図４（ｃ）は、ＩＲカメラ方式の情報検出部の検出方法を説明する図であり、図４（ｄ）は、光拡散層１４をスクリーン１０Ａの入射側に配置した場合の位置情報の検出の様子を示し、図４（ｅ）は光拡散層１４をスクリーン１０Ａの出射側に配置した場合の位置情報の検出の様子を示している。なお、図４では、理解を容易にするために、スクリーンの層構成を単純化してスクリーン１０Ａ内における光拡散層１４のみを示している。
スクリーン１０Ａの背面側から投射された映像光は、主に光拡散層１４で結像する。そのため、図４（ａ）に示すように、点Ａで結像した映像をスクリーン正面で観察する場合には、点Ｂで観察されるが、スクリーン正面方向に対して角度をなす方向から観察する場合には、点Ｃで観察される。このとき、点Ｂと点Ｃとの距離ｄ１が小さいほうが、視差が小さく、高品質なスクリーンである。図４（ａ），（ｂ）に示すように、光拡散層１４が入射側に位置し、点Ａと観察面との距離ｄ２が大きい方が、距離ｄ１が大きく、視差が大きい。
視差が大きいスクリーンでは、スクリーンを観察する方向によって映像が観察される位置が大きく異なり、会議や授業等で、観察面上に表示された映像を入力部６２等で指し示して使用するインタラクティブボードとしては、その品位が低下する。
【００４２】
また、ＩＲカメラ方式の情報検出部では、図４（ｃ）のように、背面側に位置する照射部６３Ａから照射された赤外線が、スクリーン１０の観察面に接触した指やタッチペン等の入力部６２により乱反射し、その乱反射された赤外線が光拡散層１４により結像した像を赤外線カメラ部６３Ｂが撮像、検出することにより、入力部６２の位置情報を検出している。
そのため、図４（ｄ）に示すように、光拡散層１４の位置がスクリーンの入射側（背面側）に設けられる場合には、乱反射された赤外線がスクリーン１０Ａを透過しながら広がるため、光拡散層１４で結像する赤外線の像の大きさＤが大きくなり、反射した赤外光の光強度が分散して弱くなってしまう。そのため、反射した赤外光の像の強度が低下し、赤外線カメラ部６３Ｂによって赤外線の像を認識することが困難となり、検出精度が低下する。一方、図４（ｅ）に示すように、光拡散層１４がスクリーンの出射側に位置する場合は、光拡散層１４で結像する赤外線の像の大きさＤが小さく、反射した赤外光の光強度の分散が抑えられ、反射した赤外光の像の強度が高く保たれ、赤外線カメラ部６３Ｂによって十分その像を認識することできる。従って、光拡散層１４が背面側（入射側）に位置するスクリーンは、光拡散層１４が観察面側（出射側）に位置するスクリーンに比べて赤外線カメラ部６３Ｂによる入力部６２の位置情報の検出の精度が低下する。
そこで、本実施形態は、光拡散層１４をスクリーン１０の厚み方向において出射側に配置し、さらに、光拡散層１４より入射側に光制御層１３を備えることにより、上述のような視差や情報検出の精度の低下を極力抑えながら、ゴーストの発生を低減した。
【００４３】
図５は、第１実施形態のスクリーン１０と比較例のスクリーン１０Ｂとの層構成を比較する図である。図５（ａ）は、本実施形態のスクリーン１０を示し、図５（ｂ）は、比較例のスクリーン１０Ｂを示している。なお、理解を容易にするために、図５では、スクリーン１０，１０Ｂを構成する各層の屈折率は、等しいものとして示している。
比較例のスクリーン１０Ｂは、光制御層１３を備えていない点が本実施形態のスクリーン１０と異なる以外は、本実施形態のスクリーン１０と略同様の形態である。従って、本実施形態のスクリーン１０と共通する機能を果たす部分には、共通の符号を付している。
【００４４】
本実施形態のスクリーン１０と比較例のスクリーン１０Ｂとをそれぞれ支持部材５１に組み込み、本実施形態及び比較例のインタラクティブボードを作製し、実際に投影機６０から映像光を投射してその映像を評価した。
本実施形態のスクリーン１０及び比較例のスクリーン１０Ｂにおいて、プリズム層１１の単位プリズム１１１に入射する光のうち、図３（ａ）に示すように、光束Ｒ１は観察者側の正面方向へ出射し、光束Ｒ２は迷光となる点は共通している。
比較例のスクリーン１０Ｂを用いたインタラクティブボードシステムでは、前述のような光拡散層が入射側に設けられたスクリーンを用いたインタラクティブボードシステムに比べて、視差やＩＲカメラ方式の情報検出部を用いた場合の位置情報の検出精度が低下は改善されていた。しかし、比較例のスクリーン１０Ｂでは、図５（ｂ）に示すように、光吸収部１３３を備える光制御層１３を備えていないため、迷光となった光束Ｒ２が吸収されることなく光拡散層１４で拡散されて光束Ｒ１とは離れた位置で結像する。そのため、比較例のスクリーン１０Ｂでは、画面（スクリーン）上に、ゴーストが発生しており、画質の劣化が生じており、使用に適さないものであった。
【００４５】
これに対して、本実施形態のスクリーン１０を用いたインタラクティブボードでは、光吸収部１３３を備える光制御層１３を備えているので、図５（ａ）に示すように、迷光となる光束Ｒ２は効果的に吸収される。従って、本実施形態のスクリーン１０を用いたインタラクティブボード及びインタラクティブボードシステムでは、ゴーストが大幅に低減された良好な画像が表示され、観察者にとっても映像が見やすく、快適なものであった。また、本実施形態のスクリーン１０を用いたインタラクティブボード及びインタラクティブボードシステムでは、観察する位置によって異なる位置に映像が観察される現象である視差は、極力抑えられており、また、情報検出部にＩＲカメラ方式を用いた場合にも、精度の高い検出が可能であった。さらに、本実施形態のスクリーン１０は、光吸収部１３３を備える光制御層１３を備えているので、映像光の輝度を落としすぎることなく照明光等の外光を吸収することができ、映像のコントラストが向上した。
【００４６】
以上のことから、本実施形態によれば、ゴーストを低減しながら、視差や位置情報の検出精度の低下も大幅に低減できるインタラクティブボード用の透過型スクリーンとすることができ、良好な映像を表示でき、インタラクティブボード及びインタラクティブボードシステムとしての品質も高めることができる。
また、本実施形態の光透過部１３２は、画面上下方向に平行であってスクリーン面に対して直交する断面における断面形状が、出射側における幅よりも入射側における幅の方が広い略台形形状であるので、映像光の透過率を高く、明るい映像を表示できる。
さらに、光吸収部１３３によって、観察面側からスクリーン１０に入射する照明光等の外光を吸収することができるので、コントラストを向上することができる。特に、本実施形態の光吸収部１３３の断面形状は、出射側の幅が広いので、外光吸収によるコントラスト向上効果を高めることができる。
【００４７】
（第２実施形態）
図６は、第２実施形態のスクリーン２０の単位プリズム２１１の形状を示す図である。
第２実施形態のスクリーン２０は、プリズム部２１２の単位プリズム２１１の形状が異なる点等が、前述の第１実施形態のスクリーン１０とは異なる。従って、本実施形態では、前述の第１実施形態と同様の機能を果たす部分には、同一の符号又は末尾に同一の符号を付して、重複する説明を適宜省略する。
本実施形態のスクリーン２０は、プリズム部２１２を有するプリズム層１１以外は前述の第１実施形態のスクリーンと同様の層構成を備えている。
プリズム層１１は、単位プリズム２１１が形成されたプリズム部２１２とプリズム基材層１１３とを備えている。
単位プリズム２１１は、入射側に凸となるプリズム形状である。しかし、単位プリズム２１１は、図６に示すように、その頂部が入射側（背面側）に凸となる曲面によって形成されている。
【００４８】
このような形態とすることにより、単位プリズム２１１の頂部の破損や欠け等や、潰れ等の変形等を極力低減することがでる。これにより、プリズム層１１やスクリーン２０のハンドリングしやすくなり、歩留りが向上し、生産性を向上できる。
このような形態とした場合、単位プリズム２１１の頂部近傍に入射する光（例えば、図６中に示す光Ｌ３）は、単位プリズム２１１の入射面Ａ１に入射した後、全反射面Ａ２で全反射してスクリーンの正面方向へ進む。しかし、頂部の曲面に入射した光は、図６中に示す光Ｌ４のように全反射面Ａ２で全反射することなく観察面側へ透過して正面方向に対して大きくそれた方向に出射したり、全反射した場合にも正面方向に対して大きくそれた方向に出射したりする場合がある。このような光は、迷光となり、ゴーストが発生しやすくなる。
また、わずかではあるが、特にスクリーン面への入射角度が比較的小さい場合には、光Ｌ５のように、単位プリズム２１１の頂部が曲面となったために、頂部に曲面を形成しなかった場合には入射するだろう単位プリズム２１１の頂部に入射せず、隣の単位プリズム２１１の入射面の谷側に入射して、全反射することなく正面方向に対して大きくそれた方向へ出射する光もあり、このような光も迷光となってゴーストの要因となる。
【００４９】
しかし、本実施形態のスクリーン２０は、光制御層１３を備えることにより、そのような迷光を光吸収部１３３によって効果的に吸収することができ、ゴーストを低減することができる。また、光吸収部１３３による外光吸収作用により、コントラストの向上も期待できる。
以上のことから、本実施形態によれば、前述の第１実施形態と同様の効果を奏することができ、迷光を効果的に吸収してゴーストを低減できる。また、スクリーン２０の製造時や搬送時におけるプリズム層１１やスクリーン２０のハンドリングが容易となり、歩留りが向上し、スクリーン２０の生産性が向上する。また、使用時における単位プリズム２１１の頂部の破損等も低減できる。
【００５０】
（第３実施形態）
図７は、第３実施形態のスクリーン３０の層構成を示す図である。
第３実施形態のスクリーン３０は、光透過部３３２及び光吸収部３３３の断面の向きが異なる点等が、前述の第１実施形態のスクリーン１０とは異なる。従って、本実施形態では、前述の第１実施形態と同様の機能を果たす部分には、同一の符号又は末尾に同一の符号を付して、重複する説明を適宜省略する。
第３実施形態のスクリーン３０は、前述の第１実施形態のスクリーン１０と同様に、支持部材５１によって支持してインタラクティブボード５０とし、不図示の情報検出部や投影機６０やパーソナルコンピュータ６１等を備えるインタラクティブボードシステムに用いることができる。
【００５１】
本実施形態のスクリーン３０は、入射側（背面側）から、プリズム層１１、基板層１２、光制御層３３、光拡散層１４、防眩層３５２を備えている。
光制御層３３は、光透過部３３２と光吸収部３３３とを備え、光透過部３３２と光吸収部３３３とは、スクリーン面に平行な面に沿って画面上下方向に交互に配列されている。光制御層３３は、接合層１６ｅを介して基板層１２の出射側に一体に積層されている。この接合層１６ｅは、前述の接合層１６ａ等と同様の層である。
本実施形態の光透過部３３２は、画面上下方向に平行であってスクリーン面に直交する断面における断面形状が出射側（観察面側）の幅の方が入射側（背面側）の幅よりも広い略台形形状となっている。本実施形態では、光拡散層１４の入射側の面にＵＶ成形により光透過部３３２が一体に形成されている。
光吸収部３３３は、配列された光透過部３３２間の間隙部分に形成されている。本実施形態の光吸収部３３３は、画面上下方向に平行であってスクリーン面に直交する断面における断面形状が、入射側の幅が広く、出射側の幅が狭い略台形形状である。即ち、前述の第１実施形態の光吸収部１３３と略台形形状の向きが逆になっている。
【００５２】
防眩層３５２は、前述の第１実施形態の防眩層１５２に相当し、光拡散層１４の出射側の面に一体に形成されている。即ち、本実施形態の光拡散層１４は、防眩層３５２を形成する基材となる層であり、光を拡散する作用に加えて、前述の機能基材層１５１に相当する機能も有している。従って、この一体に形成された光拡散層１４と防眩層１５２とは、光拡散効果に加え、防眩機能及びハードコート機能を有している。
【００５３】
本実施形態によれば、前述の第１実施形態のスクリーン１０の奏する効果と同様の効果に加え、さらに、前述の第１実施形態のスクリーン１０よりもスクリーンを構成する層を少なくすることができるので、各層の界面における反射による透過光量の低下を低減できる。
【００５４】
また、一般的に、単位プリズム１１１の形状と投影機６０とスクリーン３０との距離や映像光Ｌの投射角度等は、略正面方向へ映像光を出射できるように最適な条件で設計されて用いられる。しかし、買い替え等による投影機６０の投射条件の変化等によって、投影機６０のスクリーン３０に対する位置や映像光Ｌの投射角度がずれ、映像光Ｌの入射面への入射角度が単位プリズム１１１の想定する映像光Ｌの入射角度範囲から多少ずれた角度となる場合がある。しかし、本実施形態において光吸収部３３３の屈折率を光透過部３３２の屈折率よりも小さくした場合には、そのような場合であっても、映像の正面輝度を上げることができる。即ち、単位プリズム１１１の想定する映像光Ｌの入射角度範囲から多少離れた入射角度で入射した映像光Ｌは、単位プリズムによって、画面上下方向において正面方向に対して多少の角度をなす平行光となって光制御層３３へ入射する。このとき、光吸収部３３３の屈折率が光透過部３３２の屈折率よりも小さいと、そのような映像光Ｌは、光透過部３３２と光吸収部３３３との界面で全反射して略正面方向へ出射する。これにより、正面方向の輝度を高めることができる。
【００５５】
（変形形態）
以上説明した各実施形態に限定されることなく、種々の変形や変更が可能であって、それらも本発明の範囲内である。
（１）各実施形態において、単位プリズム１１１は、入射面Ａ１と全反射面Ａ２とを備える全反射プリズムであり、シート面に沿って画面上下方向（垂直方向）に配列される例を示したが、これに限らず、画面左右方向（水平方向）に配列してもよいし、以下に示すような形態としてもよい。
図８は、スクリーンの変形形態を示す図である。
各実施形態において、プリズム層１１は、単位プリズム１１１がシート面に沿って垂直方向に配列される例を示したが、例えば、図８（ａ）に示す変形形態のスクリーン４０のように、単位プリズム１１１がシート面に沿って同心円状に配列されているプリズム層４１としてもよい。単位プリズム１１１は、シート面の延長上に位置する点Ｏを中心として同心円状に配列されている。このとき、投影機６０は、点Ｏを通りシート面に垂直な直線上に位置している。
【００５６】
また、各実施形態において、単位プリズム１１１は、入射面Ａ１と全反射面Ａ２とからのみ形成される例を示したが、例えば、図８（ｂ）に示す変形形態のプリズム部７１２の単位プリズム７１１のように、全反射プリズム形状７１１ａと屈折フレネルレンズ形状７１１ｂとを有する、ハイブリッド型のプリズム形状としてもよい。
全反射プリズム形状７１１ａは、入射面Ａ１と全反射面Ａ２とを備えており、各実施形態において示した単位プリズム１１１の形状の一部である。屈折フレネルレンズ形状７１１ｂは、この全反射プリズム形状７１１ａの垂直方向下側に隣接し、入射面Ａ１と対向し、光が入射する入射面である第３の面Ａ３と、第３の面Ａ３と凸形状をなす第４の面Ａ４とを備えており、所謂、屈折フレネルレンズの形状の一部である。
この第３の面Ａ３に入射した光Ｌ６は、界面（第３の面Ａ３）で屈折し、画面上下方向においてスクリーン面の法線方向に略平行光となって観察面側へ進む。そのため、このようなハイブリッド型のプリズム形状とすることにより、略平行光となる映像光の光量を増やすことができ、迷光を低減する効果も高めることができる。
一方、第４の面Ａ４に入射した光Ｌ７は、界面（第４の面）で屈折して正面方向から大きく外れた方向へ進み、迷光となってゴーストの原因となる場合がある。しかし、このような単位プリズム７１１において発生する迷光によるゴーストも、光制御層１３の光吸収部によって吸収することにより、効果的に低減できる。
【００５７】
（２）各実施形態において、単位プリズム１１１は、配列方向においてその形状が略一様である例を示したが、これに限らず、その形状が変化してもよい。例えば、単位プリズム１１１の配列方向において、スクリーン面と全反射面Ａ２とがなす角度が配列方向の上側へ向かうにつれて大きくなるように変化してもよいし、ピッチが変化してもよい。
また、例えば、第３実施形態においても、第２実施形態の単位プリズム２１１のように、単位プリズム１１１の頂部に曲面を形成してもよい。
【００５８】
（３）第１及び第２実施形態において、光制御層１３は、基板層１２の出射側に設けられる例を示したが、これに限らず、例えば、光制御層１３は光拡散層１４より入射側であれば、基板層１２よりも入射側に配置してもよい。このような位置に光制御層を設けた場合にも、迷光を吸収し、ゴーストを低減する効果が期待できる。
【００５９】
（４）各実施形態において、光吸収部１３３，３３３は、画面上下方向に平行であってスクリーン面に直交する断面における断面形状が、略楔形形状（略三角形形状又は、略台形形状）であり、光透過部１３２，３３２は、その断面における断面形状が略台形形状である例を示したが、これに限らず、例えば、光吸収部１３３，３３３及び光透過部１３２，３３２は、その断面形状が略矩形形状であってもよい。なお、ここでの矩形形状は、長方形形状や正方形形状を含む。このような形態とすることにより、正面方向へ出射する映像光の量を多くでき、映像光の輝度を大幅に低下させることなく、光の利用効率を高く維持できる。また、光吸収部により、迷光を吸収してゴーストを低減でき、かつ、外光を吸収してコントラストを向上させることができる。
なお、光透過部は、断面形状を他の多角形形状としてもよいし、一部が曲面により形成される形態としてもよいし、配列方向において非対称な形状としてもよいし、配列方向沿ってしだいにその斜面がスクリーン面となす角度が変化する形態としてもよい。
光透過部及び光吸収部の形状は、使用する環境や所望する光学特性等に応じて、適宜選択して設定してよい。
【００６０】
（５）第１及び第２実施形態において、少なくともハードコート機能を備える機能層として、表面機能層１５がスクリーン１０，２０の最も出射側に位置する例を示したが、これに限らず、例えば、表面機能層１５は、ハードコート機能に加えて、照明光の反射等を抑える反射防止機能、帯電防止層機能、紫外線吸収機能、防汚機能、着色や減光機能等を備える層としてもよい。
反射防止機能を有する場合は、照明光等の映りこみを防止し、コントラストを向上させることができる。帯電防止機能を有する場合は、静電気を除去し、観察面上への埃等の付着を防止できる。紫外線吸収機能を有する場合は、外光に含まれる紫外線によるスクリーンの黄変を防止できる。防汚機能を有する場合は、スクリーンの表面に汚れが付着することを防止できる。着色や減光機能を有する場合は、コントラストの向上を図ることができる。
なお、このような各種機能を有する層は１つでもよいし、複数設けてもよく、使用環境等に応じて適宜選択して組み合わせて用いてよい。また、１つの表面機能層がこれらの機能を併せ持つ形態としてもよい。さらに、光拡散層１４が十分な耐擦傷性を有するならば、ハードコート機能を有する表面機能層１５を設けない形態としてもよいし表面機能層１５に替えてこれらの機能を有する層を設けてもよい。さらにまた、機能層は、ハードコート機能のみを有するハードコート層としてもよく、これらの層に上述の各機能を有する層を適宜組み合わせて使用してもよい。
【００６１】
（６）各実施形態において、インタラクティブボード５０は、スクリーンを支持部材５１によって支持したものであり、別体の投影機６０によって映像光Ｌが背面側から投射される例を示したが、これに限らず、例えば、スクリーンと投影機とを不図示の筐体内に組み込んで一体としたリアプロジェクションテレビ型のインタラクティブボードとしてもよいし、壁面と所定の距離を離して固定されたインタラクティブボードとしてもよい。
リアプロジェクションテレビ型のインタラクティブボードとする場合、スクリーン１０の背面側は筐体によって覆われ、暗室となるので、窓からの光や照明光等のような外光が、スクリーン１０の背面から入射することを防止でき、コントラストの向上等を図ることができ、より明瞭な映像を表示できる。
また、壁面に所定の距離を有して固定されたインタラクティブボードとした場合、不図示のミラー部を壁面に配置し、映像光をミラーで反射してスクリーンの背面に投影する形態としてもよいし、ミラー部を備える投影機をスクリーン１０の下方に配置し、映像光Ｌをミラー部で反射してスクリーン１０の背面に投影してもよい。
このような構成とすることにより、壁面Ｈに固定されるので、背面側からスクリーン１０に入射する不要な光を低減でき、コントラストの低下を低減できる。
【００６２】
（７）各実施形態において、インタラクティブボード５０及びパーソナルコンピュータ６１が１台のみ使用されている例を示したが、これに限らず、例えば、複数のパーソナルコンピュータ６１をインターネット等に接続した状態で複数のインタラクティブボード５０を使用してもよい。このような形態とすれば、遠隔地であっても描画された情報を共有することができ、テレビ会議システム等との併用により、遠隔地同士の会議を効率的に行うことができる。
【００６３】
（８）各実施形態において、プリズム層１１は、接合層１６ａを介して積層されている例を示したが、これに限らず、例えば、基板層１２が樹脂製の場合等は、基板層１２の入射側の面上にプリズム部１１２，２１２を直接形成する形態としてもよい。
また、第１及び第２実施形態において、防眩層１５２は、機能基材層１５１の出射側に形成される例を示したが、これに限らず、例えば、光拡散層１４の出射側の面に一体に形成してもよい。
このような形態とすることにより、スクリーンの更なる薄型化を図ることができる。また、スクリーンを構成する層が少なくなるので、層間の界面で反射する光量を抑えることができ、透過光量を上げ、明るい映像を表示できる。
さらに、第３実施形態において、防眩層１５２が光拡散層１４の出射側の面に形成される例を示したが、これに限らず、例えば、前述の第１実施形態のように、光拡散層１４の出射側に接合層を介して表面機能層を接合する形態としてもよい。
【００６４】
（９）各実施形態において、インタラクティブボードシステムは、入力部６２が接したスクリーンの観察面上の座標位置を検出してパーソナルコンピュータ６１へ出力する例を示したが、これに限らず、例えば、インタラクティブボードとは別体であってパーソナルコンピュータ６１に有線又は無線で接続される不図示の入力装置等に入力部６２により使用者Ｓが筆記した文字等の情報をスクリーン上に投影する形態としてもよい。なお、このような別体の入力装置としては、タブレット等を用いることができる。
【００６５】
なお、本実施形態及び変形形態は、適宜組み合わせて用いることもできるが、詳細な説明は省略する。また、本発明は以上説明した各実施形態によって限定されることはない。
【符号の説明】
【００６６】
１０，２０，３０    スクリーン
１１    プリズム層
１１１，２１１    単位プリズム
１１２，２１２    プリズム部
１１３    プリズム基材層
１２    基板層
１３，３３    光制御層
１４    光拡散層
１５    表面機能層
１６ａ〜１６ｅ    接合層
５０    インタラクティブボード
５１    支持部材
６０    投影機
６１    パーソナルコンピュータ
６２    入力部
【図１】
2012078516.tif 000003
【図２】
2012078516.tif 000004
【図３】
2012078516.tif 000005
【図４】
2012078516.tif 000006
【図５】
2012078516.tif 000007
【図６】
2012078516.tif 000008
【図７】
2012078516.tif 000009
【図８】
2012078516.tif 000010